(57)【特許請求の範囲】
【請求項１】
端末装置に表示する表示情報を出力する装置において、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されていないと判断した場合に、異なる時間での表示情報の出力を許可するか否かを示す第１情報を特定情報に対応付けて記憶する第１記憶部を参照し、前記取得部により取得した施設及び機種が共通であり、かつ、出力を許可する第１情報を示す特定情報に対応する第１表示情報が前記記憶部に記憶されているか否かを判断し、または、異なる機種での表示情報の出力を許可するか否かを示す第２情報を特定情報に対応付けて記憶する第２記憶部を参照し、前記取得部により取得した施設及び時間が共通であり、かつ、出力を許可する第２情報を示す特定情報に対応する第２表示情報が前記記憶部に記憶されているか否かを判断する判断部と、
該判断部において前記第１表示情報または前記第２表示情報の少なくともいずれかが前記記憶部に記憶されていると判断された場合には、前記第１表示情報または前記第２表示情報の内の少なくともいずれかの表示情報を出力する出力部と
を備える装置。
【請求項２】
端末装置に表示する表示情報を出力する装置において、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されているか否かを判断する判断部と、
該判断部により記憶されていないと判断した場合に、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する出力部と、
前記判断部により記憶されていないと判断した場合であって、前記取得した特定情報により示される前記時間とは異なる時間を示す特定情報に対応付けられた表示情報または前記取得した特定情報により示される前記機種とは異なる機種を示す特定情報に対応付けられた表示情報が前記記憶部に記憶されている場合に、前記出力部を制御するための入力操作を受け付ける画面を構成する画面情報の生成に用いるプログラムを呼び出すＵＲＬに当該画面情報の生成に用いるパラメータを示すクエリを付加した文字列データを含む電子メールを、前記表示情報を表示する端末装置の管理者に宛てて送信する通知部と
を備える装置。
【請求項３】
端末装置に表示する表示情報を出力するコンピュータに用いるプログラムにおいて、
コンピュータを、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されていないと判断した場合に、異なる時間での表示情報の出力を許可するか否かを示す第１情報を特定情報に対応付けて記憶する第１記憶部を参照し、前記取得部により取得した施設及び機種が共通であり、かつ、出力を許可する第１情報を示す特定情報に対応する第１表示情報が前記記憶部に記憶されているか否かを判断し、または、異なる機種での表示情報の出力を許可するか否かを示す第２情報を特定情報に対応付けて記憶する第２記憶部を参照し、前記取得部により取得した施設及び時間が共通であり、かつ、出力を許可する第２情報を示す特定情報に対応する第２表示情報が前記記憶部に記憶されているか否かを判断する判断部と、
該判断部において前記第１表示情報または前記第２表示情報の少なくともいずれかが前記記憶部に記憶されていると判断された場合には、前記第１表示情報または前記第２表示情報の内の少なくともいずれかの表示情報を出力する出力部と
して機能させるプログラム。
【請求項４】
端末装置に表示する表示情報を出力するコンピュータに用いるプログラムにおいて、
コンピュータを、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されているか否かを判断する判断部と、
該判断部により記憶されていないと判断した場合に、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する出力部と、
前記判断部により記憶されていないと判断した場合であって、前記取得した特定情報により示される前記時間とは異なる時間を示す特定情報に対応付けられた表示情報または前記取得した特定情報により示される前記機種とは異なる機種を示す特定情報に対応付けられた表示情報が前記記憶部に記憶されている場合に、前記出力部を制御するための入力操作を受け付ける画面を構成する画面情報の生成に用いるプログラムを呼び出すＵＲＬに当該画面情報の生成に用いるパラメータを示すクエリを付加した文字列データを含む電子メールを、前記表示情報を表示する端末装置の管理者に宛てて送信する通知部と
して機能させるプログラム。
【請求項５】
端末装置に表示する表示情報を装置の制御部により出力する出力方法において、
表示情報に関連する施設を示す施設情報と当該表示情報を表示する端末装置の機種を示す機種情報と当該表示情報を表示する時間を示す時間情報とを含む特定情報を前記制御部により取得する取得ステップと、
特定情報に対応付けられた表示情報を記憶する記憶部を参照し、前記取得ステップにより取得した特定情報に対応する表示情報が前記記憶部に記憶されていないと判断した場合に、異なる時間での表示情報の出力を許可するか否かを示す第１情報を特定情報に対応付けて記憶する第１記憶部を参照し、前記取得ステップにより取得した施設及び機種が共通であり、かつ、出力を許可する第１情報を示す特定情報に対応する第１表示情報が前記記憶部に記憶されているか否かを判断し、または、異なる機種での表示情報の出力を許可するか否かを示す第２情報を特定情報に対応付けて記憶する第２記憶部を参照し、前記取得ステップにより取得した施設及び時間が共通であり、かつ、出力を許可する第２情報を示す特定情報に対応する第２表示情報が前記記憶部に記憶されているか否かを判断する判断ステップと、
該判断ステップにおいて前記第１表示情報または前記第２表示情報の少なくともいずれかが前記記憶部に記憶されていると判断された場合には、前記第１表示情報または前記第２表示情報の内の少なくともいずれかの表示情報を出力する出力ステップと
を備える出力方法。
【請求項６】
端末装置に表示する表示情報を装置の制御部により出力する出力方法において、
表示情報に関連する施設を示す施設情報と当該表示情報を表示する端末装置の機種を示す機種情報と当該表示情報を表示する時間を示す時間情報とを含む特定情報を前記制御部により取得し、
特定情報に対応付けられた表示情報を記憶する記憶部を参照し、前記制御部により、前記取得した特定情報に対応する表示情報が前記記憶部に記憶されているか否かを判断し、
記憶されていないと判断した場合に、前記制御部により、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力し、
記憶されていないと判断した場合であって、前記取得した特定情報により示される前記時間とは異なる時間を示す特定情報に対応付けられた表示情報または前記取得した特定情報により示される前記機種とは異なる機種を示す特定情報に対応付けられた表示情報が前記記憶部に記憶されている場合に、前記出力を制御するための入力操作を受け付ける画面を構成する画面情報の生成に用いるプログラムを呼び出すＵＲＬに当該画面情報の生成に用いるパラメータを示すクエリを付加した文字列データを含む電子メールを、前記表示情報を表示する端末装置の管理者に宛てて送信する
出力方法。
【請求項７】
装置から、端末装置に表示する表示情報を出力する出力システムにおいて、
前記装置は、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されていないと判断した場合に、異なる時間での表示情報の出力を許可するか否かを示す第１情報を特定情報に対応付けて記憶する第１記憶部を参照し、前記取得部により取得した施設及び機種が共通であり、かつ、出力を許可する第１情報を示す特定情報に対応する第１表示情報が前記記憶部に記憶されているか否かを判断し、または、異なる機種での表示情報の出力を許可するか否かを示す第２情報を特定情報に対応付けて記憶する第２記憶部を参照し、前記取得部により取得した施設及び時間が共通であり、かつ、出力を許可する第２情報を示す特定情報に対応する第２表示情報が前記記憶部に記憶されているか否かを判断する判断部と、
該判断部において前記第１表示情報または前記第２表示情報の少なくともいずれかが前記記憶部に記憶されていると判断された場合には、前記第１表示情報または前記第２表示情報の内の少なくともいずれかの表示情報を出力する出力部とを備え、
前記端末装置は、
前記出力部により出力された表示情報を表示する表示部
を備える出力システム。
【請求項８】
装置から、端末装置に表示する表示情報を出力する出力システムにおいて、
前記装置は、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されているか否かを判断する判断部と、
該判断部により記憶されていないと判断した場合に、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する出力部と、
前記判断部により記憶されていないと判断した場合であって、前記取得した特定情報により示される前記時間とは異なる時間を示す特定情報に対応付けられた表示情報または前記取得した特定情報により示される前記機種とは異なる機種を示す特定情報に対応付けられた表示情報が前記記憶部に記憶されている場合に、前記出力部を制御するための入力操作を受け付ける画面を構成する画面情報の生成に用いるプログラムを呼び出すＵＲＬに当該画面情報の生成に用いるパラメータを示すクエリを付加した文字列データを含む電子メールを、前記表示情報を表示する端末装置の管理者に宛てて送信する通知部とを備え、
前記端末装置は、
前記出力部により出力された表示情報を表示する表示部
を備える出力システム。
【発明の詳細な説明】
【技術分野】
【０００１】
本発明は機種の異なる端末装置に表示する表示情報を出力する装置等に関する。
【背景技術】
【０００２】
店舗等の各施設には商品紹介等の表示情報を出力する端末装置が設置されている。端末装置は通信網を介して接続される中央装置へ、表示情報の取得を要求する。中央装置が要求された表示情報を端末装置へ出力する。中央装置は要求に対応する表示情報が存在しない場合、エラー情報を端末装置へ出力する（例えば特許文献１及び２参照）。
【先行技術文献】
【特許文献】
【０００３】
【特許文献１】特開２００１−２４３１４９号公報
【特許文献２】特開２００４−１３９３０４号公報
【発明の概要】
【発明が解決しようとする課題】
【０００４】
しかしながら、従来の装置は単にエラー情報を出力するのみであり、端末装置にも要求に反してエラー情報が表示されるに過ぎなかった。
【０００５】
本発明は斯かる事情に鑑みてなされたものである。その目的は、所定条件を満たす表示情報を出力することにより、端末装置へ有用な情報を出力することが可能な装置等を提供することにある。
【課題を解決するための手段】
【０００６】
本願に開示する装置は、端末装置に表示する表示情報を出力する装置において、表示情報に関連する施設を示す施設情報と当該表示情報を表示する端末装置の機種を示す機種情報と当該表示情報を表示する時間を示す時間情報とを含む特定情報を取得する取得部と、特定情報に対応付けられた表示情報を記憶する記憶部を参照し、前記取得部により取得した特定情報に対応する表示情報が前記記憶部に記憶されていないと判断した場合に、異なる時間での表示情報の出力を許可するか否かを示す第１情報を特定情報に対応付けて記憶する第１記憶部を参照し、前記取得部により取得した施設及び機種が共通であり、かつ、出力を許可する第１情報を示す特定情報に対応する第１表示情報が前記記憶部に記憶されているか否かを判断し、または、異なる機種での表示情報の出力を許可するか否かを示す第２情報を特定情報に対応付けて記憶する第２記憶部を参照し、前記取得部により取得した施設及び時間が共通であり、かつ、出力を許可する第２情報を示す特定情報に対応する第２表示情報が前記記憶部に記憶されているか否かを判断する判断部と、該判断部において前記第１表示情報または前記第２表示情報の少なくともいずれかが前記記憶部に記憶されていると判断された場合には、前記第１表示情報または前記第２表示情報の内の少なくともいずれかの表示情報を出力する出力部とを備える。
【発明の効果】
【０００７】
当該装置の一観点によれば、要求に応じた表示情報が存在しない場合でも、好ましい表示情報を出力することが可能となる。
【図面の簡単な説明】
【０００８】
【図１】出力システムの概要を示す模式図である。
【図２】端末装置のハードウェア群を示すブロック図である。
【図３】特定情報の内容を示す説明図である。
【図４】端末装置のハードウェア群を示すブロック図である。
【図５】配信サーバのハードウェア群を示すブロック図である。
【図６】表示情報のイメージを示す説明図である。
【図７】ＤＢサーバのハードウェア群を示すブロック図である。
【図８】特定情報ＤＢのレコードレイアウトを示す説明図である。
【図９】表示情報のレコードレイアウトを示す説明図である。
【図１０】参照情報ＤＢのレコードレイアウトを示す説明図である。
【図１１】第１情報を利用する例を示す説明図である。
【図１２】第１情報を利用した結果を示す説明図である。
【図１３】第２情報を利用する例を示す説明図である。
【図１４】第２情報を利用した結果を示す説明図である。
【図１５】ディフォルトを利用する例を示す説明図である。
【図１６】ディフォルトの表示情報を利用した結果を示す説明図である。
【図１７】表示情報の取得要求処理の手順を示すフローチャートである。
【図１８】表示情報の取得要求処理の手順を示すフローチャートである。
【図１９】表示情報の出力処理の手順を示すフローチャートである。
【図２０】表示情報の出力処理の手順を示すフローチャートである。
【図２１】表示情報の出力処理の手順を示すフローチャートである。
【図２２】表示情報の出力処理の手順を示すフローチャートである。
【図２３】表示情報の出力処理の手順を示すフローチャートである。
【図２４】送信される電子メールのイメージを示す説明図である。
【図２５】送信される電子メールのイメージを示す説明図である。
【図２６】情報処理装置のハードウェア群を示すブロック図である。
【図２７】編集画面のイメージを示す説明図である。
【図２８】編集処理の手順を示すフローチャートである。
【図２９】編集処理の手順を示すフローチャートである。
【図３０】編集処理の手順を示すフローチャートである。
【図３１】実施の形態２に係るＤＢサーバのハードウェア群を示すブロック図である。
【図３２】重みテーブルのレコードレイアウトを示す説明図である。
【図３３】複数の第１配信ＩＤが存在する場合の処理手順を示すフローチャートである。
【図３４】複数の第２配信ＩＤが存在する場合の処理手順を示すフローチャートである。
【図３５】実施の形態３に係る表示情報の出力処理の手順を示すフローチャートである。
【図３６】実施の形態４に係る出力システムの概要を示す模式図である。
【図３７】実施の形態４に係るＤＢサーバのハードウェア群を示すブロック図である。
【図３８】第１優先度テーブルのレコードレイアウトを示す説明図である。
【図３９】第２優先度テーブルのレコードレイアウトを示す説明図である。
【図４０】表示情報の出力処理の手順を示すフローチャートである。
【図４１】表示情報の出力処理の手順を示すフローチャートである。
【図４２】表示情報の出力処理の手順を示すフローチャートである。
【図４３】実施の形態５に係るＤＢサーバのハードウェア群を示すブロック図である。
【発明を実施するための形態】
【０００９】
実施の形態１
以下実施の形態を、図面を参照して説明する。図１は出力システムの概要を示す模式図である。出力システムは、中央装置１、配信装置２、端末装置３、及び、情報処理装置４等を含む。各装置はインターネット、ＬＡＮ(Local Area Network)または携帯電話網等の通信網Ｎにより相互に接続されている。端末装置３、３、３、・・・は配信装置２を介して中央装置１が出力した表示情報を表示する装置である。端末装置３は複数の機種が存在する。例えば、端末装置３は主として情報を表示するために、店舗、駅、ビル、学校等の施設に設置されるディスプレイが用いられる。以下では当該端末装置３を機種Ａとして説明する。
【００１０】
その他、端末装置３は、情報の表示に加えて、チケットの購入または情報の検索等、情報の入力が可能な施設に設置されるコンピュータが用いられる。以下では当該端末装置３を機種Ｂとして説明する。さらに、端末装置３はユーザが使用するパーソナルコンピュータが用いられる。以下では当該端末装置３を機種Ｃとして説明する。また場合により、機種Ａの端末装置３を３Ａ、機種Ｂの端末装置３を３Ｂ、機種Ｃの端末装置３を３Ｃと適宜読み替えて説明する。なお、本実施の形態においては、３つの機種の異なる端末装置３を例に挙げて説明するが複数機種であれば、この数及び例に限るものではない。
【００１１】
配信装置２は例えば、ＨＴＴＰ(HyperText Transfer Protocol)により端末装置３と情報を送受信するサーバコンピュータである。以下では、配信装置２を配信サーバ２と読み替えて説明する。配信サーバ２は端末装置３から、端末装置３に表示する表示情報の取得要求を受け付ける。配信サーバ２は受け付けた取得要求を中央装置１へ送信する。なお、本実施の形態においては、説明を容易にするために配信サーバ２を１台用いた例を挙げて説明するがこれに限るものではない。例えば、配信サーバ２を複数台設け、処理を分担させても良い。また、配信サーバ２の機能を中央装置１に組み込みんでも良い。この場合、中央装置１と端末装置３とが直接情報の送受信を行う。
【００１２】
中央装置１は表示情報の検索及び出力を行うコンピュータであり、例えばサーバコンピュータ、または、データベース（ＤＢ）サーバコンピュータ等が用いられる。本実施形態では一例として中央装置１が、ＳＱＬ(Structured Query Language)等のデータベース言語を用いるＤＢサーバコンピュータであるものとして説明する。以下では中央装置１をＤＢサーバ１という。情報処理装置４は出力システムを管理する管理者が使用する装置であり、例えばパーソナルコンピュータ、携帯電話機またはＰＤＡ(Personal Digital Assistant)等が用いられる。
【００１３】
出力システムの概要を説明する。端末装置３は施設の表示情報を表示すべく、表示情報に関連する施設、機種及び時間を含む特定情報と、表示情報の取得要求とを配信サーバ２へ送信する。配信サーバ２は特定情報と、表示情報の取得要求とをＤＢサーバ１へ出力する。ＤＢサーバ１は特定情報に対応する表示情報を読み出し、配信サーバ２を介して端末装置３へ出力する。ＤＢサーバ１はデータ入力ミス等により、特定情報に対応する表示情報が存在しない場合、後述するアルゴリズムにより検索した他の表示情報を端末装置３へ出力する。ＤＢサーバ１は、管理者に注意を喚起すべく、他の表示情報を送信したことを示す情報を情報処理装置４へ送信する。以下、詳細を説明する。
【００１４】
図２は端末装置３Ａのハードウェア群を示すブロック図である。端末装置３Ａは、例えば、長方形の大型ディスプレイ及び当該ディスプレイの背面に内蔵されたコンピュータである。端末装置３Ａは制御部としてのＣＰＵ(Central Processing Unit)３１、ＲＡＭ（Random Access Memory）３２、入力部３３、表示部３４、記憶部３５、通信部３６、及び、時計部３８等を含む。ＣＰＵ３１は、バス３７を介してハードウェア各部と接続されている。ＣＰＵ３１はハードウェア各部を制御すると共に、記憶部３５に格納された制御プログラム３５Ｐに従って、種々のソフトウェア機能を実行する。
【００１５】
入力部３３は電源スイッチ、または、音量若しくは画質調性を行う操作ボタン等の入力デバイスであり、受け付けた操作情報をＣＰＵ３１へ出力する。表示部３４は液晶ディスプレイまたは有機ＥＬ（electroluminescence）ディスプレイ等であり、ＣＰＵ３１の指示に従い各種情報を表示する。なお、表示部３４は入力部３３上に積層したタッチパネルであっても良い。メモリとしてのＲＡＭ３２は例えばＳＲＡＭ（Static ＲＡＭ）、ＤＲＡＭ（Dynamic ＲＡＭ）、フラッシュメモリ等である。ＲＡＭ３２は、ＣＰＵ３１による各種プログラムの実行時に発生する種々のデータを一時的に記憶する。
【００１６】
通信部３６は無線ＬＡＮカードまたは携帯電話用通信モジュール等であり、通信網Ｎを介して配信サーバ２との間で情報の送受信を行う。時計部３８は日時をＣＰＵ３１へ出力する。記憶部３５は例えば、ハードディスクまたは大容量フラッシュメモリ等である。記憶部３５には制御プログラム３５Ｐの他、配信サーバ２を介してＤＢサーバ１から受信した表示情報を一時的に記憶する表示情報ファイル３５１が記憶されている。本実施の形態においては、端末装置３Ａは店舗Ｘ向けの表示情報を１時間毎に更新して表示する例を挙げて説明する。なお、本実施形態で述べる例はあくまで一例であり、施設の情報であれば店舗の情報に限らない。また時間も３０分毎、２時間毎、一日毎または異なる時間毎の組み合わせであっても良い。
【００１７】
さらに、本実施形態では説明を容易にするために文字情報を表示する例を挙げて説明するがこれに限るものではない。例えば、静止画像または動画像を表示情報として表示しても良いことはもちろんである。ＣＰＵ３１は、制御プログラム３５Ｐに従い、表示情報の取得を１時間毎に行う。本実施形態においては毎時０分の５分前に表示情報の取得処理を行う例を挙げて説明する。なお、この制御プログラム３５Ｐは配信サーバ２またはＤＢサーバ１からダウンロードすることが可能である。その他、入力部３３から適宜取得時間等の設定を書き換えることも可能である。ＣＰＵ３１は、時計部３８の出力を参照し、表示開始５分前に特定情報の送信及び表示情報の取得要求を、通信部３６を介して配信サーバ２へ送信する。
【００１８】
図３は特定情報の内容を示す説明図である。特定情報は表示情報の表示対象となる施設の情報、端末装置３の機種の情報、及び、表示情報の表示を行う時間の情報を含む。時間は、例えば、時間帯（１１時〜１２時）、日、または、開示時間及び表示時間（１１時から３時間）等である。本実施形態では時間帯を例に挙げて説明する。図３の例では、提供する情報に係る施設はＸ店であり、表示情報を表示する機種はＡである。本例では説明を容易にするために施設を、「Ｘ店」とする例を挙げたが、施設を「ＹショッピングモールＸ店」としても良い。また取得要求のあった表示情報の時間帯は2010年2月1日の午前10時から午前11時までである。ＣＰＵ３１は、自身のＩＰ(Internet Protocol)アドレス、特定情報と、表示情報の取得要求とを配信サーバ２へ、通信部３６を介して送信する。
【００１９】
図４は端末装置３Ｃのハードウェア群を示すブロック図である。端末装置３Ｃは、例えば、パーソナルコンピュータである。端末装置３Ｃは制御部としてのＣＰＵ３１、ＲＡＭ３２、入力部３３、表示部３４、記憶部３５、通信部３６、及び、時計部３８等を含む。表示部３４は液晶ディスプレイまたは有機ＥＬディスプレイ等である。入力部３３はマウス、キーボード、またはタッチパネル等の入力装置である。その他、各部の詳細は端末装置３Ａと実質的に同一であるため詳細な説明は省略する。
【００２０】
記憶部３５には、配信サーバ２から送信されるＨＴＭＬ(HyperText Markup Language)文書を表示するためのブラウザ３５Ｂが記憶されている。ＣＰＵ３１は入力部３３を介して入力されたＵＲＬ(Uniform Resource Locator)を配信サーバ２へ送信する。ＣＰＵ３１はＵＲＬの送信の際、ブラウザ３５Ｂの種類、ＯＳ(Operating System)の種類または機種情報をヘッダ内に記述して配信サーバ２へ送信する。本例では、送信するＵＲＬは店舗Ｘのホームページのアドレスである。
【００２１】
図５は配信サーバ２のハードウェア群を示すブロック図である。配信サーバ２は、制御部としてのＣＰＵ２１、ＲＡＭ２２、記憶部２５、通信部２６、及び、時計部２８等を含む。記憶部２５はハードディスクまたは大容量フラッシュメモリ等である。ＣＰＵ２１は、バス２７を介してハードウェア各部と接続されている。ＣＰＵ２１はハードウェア各部を制御すると共に、記憶部２５に格納された制御プログラム２５Ｐに従って、種々のソフトウェア機能を実行する。
【００２２】
時計部２８は日時をＣＰＵ２１へ出力する。通信部２６はファイアウォールとしての機能を果たすゲートウェイ等であり、端末装置３、情報処理装置４及びＤＢサーバ１等との間でＨＴＴＰ等により情報を送受信する。配信サーバ２のＣＰＵ２１は通信部２６を介して、端末装置３ＣからＵＲＬを受け付ける。本実施形態ではＵＲＬにより、店舗の情報が特定される。ＣＰＵ２１はさらに端末装置３から送信されたブラウザ３５Ｂの種類、ＯＳの種類または機種情報等を受信する。本実施形態ではＯＳの種類を受信するものとする。ＣＰＵ２１はＯＳの種類を参照することにより、機種を特定する。例えば、ＯＳがマイクロソフト社のWindows（登録商標）である場合、機種Ｃと判断する。また例えば、ＯＳがマイクロソフト社のWindows Mobile1(登録商標)である場合、その他の機種と判断する。
【００２３】
ＣＰＵ２１は、ＵＲＬを受信した際の時刻に基づき表示情報の時間帯を決定する。例えば、１１時３０分にＵＲＬを受信した場合、１１時から１２時までの時間帯を特定する。その他、ＣＰＵ２１は、所定時刻経過後は次の時間帯を特定しても良い。例えば１１時５５分にＵＲＬを受信した場合、１２時から１３時までの時間帯を特定する。本実施形態では、一例として毎時５５分以降０分までにＵＲＬを受信した場合、次の時間帯を特定し、それ以外は同一時間帯を特定する例を挙げて説明する。ＣＰＵ２１は特定した施設、機種及び時間帯を含む特定情報と、表示情報の取得要求とをＤＢサーバ１へ送信する。
【００２４】
端末装置３Ｂは、コンビニエンスストア等に設置されている装置である。端末装置３Ｂは、表示情報の表示の他、入力された情報に基づき各種処理を実行する。例えば、ホームページの表示、チケットの購入、音楽のダウンロードまたは写真の印刷等である。端末装置３Ｂは例えば、待機状態にある場合、端末装置３Ａと同様に、表示情報の表示を行う。一方、ユーザが端末装置３Ｃと同じく、ホームページの表示を要求した場合、入力されたＵＲＬに対応する表示情報を表示する。このように、表示情報の表示に関し、端末装置３Ｂに端末装置３Ａの機能と、端末装置３Ｃとの機能を併せ持たせても良い。本実施形態においては説明を容易にするために端末装置３Ａと同じく、待機状態にある場合に、モニタに表示情報を表示する例を挙げて説明する。
【００２５】
端末装置３Ｂは端末装置３Ａと比較して、表示部３４のサイズが異なる、入力部３３がタッチパネル方式である、現金、クレジットカードによる決済処理部を備える等の相違点が存在するが、実質的には同様であり、詳細な説明は省略する。端末装置３Ｂも毎時５５分に、施設、機種及び時間帯を含む特定情報と、表示情報の取得要求とを配信サーバ２へ送信する。なお、本実施の形態においては、端末装置３Ａ、３Ｂが施設、機種及び時間帯の情報を配信サーバ２へ送信する例を挙げたがこれに限るものではない。端末装置３ＡのＩＰアドレスまたは端末装置ＩＤに対応付けて予め配信サーバ２の記憶部２５に施設及び機種を記憶させておいても良い。この場合、配信サーバ２が施設及び機種を特定する。時間帯については、端末装置３Ｃと同じく、表示情報の取得要求を受け付けた時間に応じて適宜決定すればよい。
【００２６】
図６は表示情報のイメージを示す説明図である。ＤＢサーバ１は特定情報に対応付けて表示情報を記憶している。ＤＢサーバ１は要求のあった特定情報に対応する表示情報を配信サーバ２へ出力する。配信サーバ２は端末装置３へ表示情報を出力する。端末装置３Ａの表示部３４には、図６に示す表示情報が表示される。端末装置３ＡのＣＰＵ３１は、時計部３８から出力される日時を参照し、表示情報に対応する時間帯、当該表示情報を表示部３４へ出力する。なお、端末装置３Ｃへ送信された場合、ＣＰＵ３１はブラウザ３５Ｂ上に表示情報を表示する。図６の例では、レストランである施設「Ｘ店」に関連する表示情報「当店はグローバルな中華レストランです。・・・」が表示されている。端末装置３Ａは例えばＸ店、Ｘ店が入居するビルまたはショッピングモール内、駅、空港またはインターチェンジ等の施設に設置すれば良い。また端末装置３Ｂは例えばコンビニエンスストア等の施設に設置し、施設Ｘ店に関する表示情報を表示すればよい。さらに、ユーザは自宅、会社、または外出先で、端末装置３Ｃから、施設Ｘ店に関する表示情報を閲覧すればよい。
【００２７】
図７はＤＢサーバ１のハードウェア群を示すブロック図である。ＤＢサーバ１は、判断部または出力部等として機能するＣＰＵ１１、ＲＡＭ１２、入力部１３、表示部１４、記憶部１５、通信部１６、及び、時計部１８等を含む。記憶部１５はハードディスクまたは大容量フラッシュメモリ等である。ＣＰＵ１１は、バス１７を介してハードウェア各部と接続されている。ＣＰＵ１１はハードウェア各部を制御すると共に、記憶部１５に格納された制御プログラム１５Ｐに従って、種々のソフトウェア機能を実行する。
【００２８】
時計部１８は日時をＣＰＵ１１へ出力する。取得部として機能する通信部１６はファイアウォールとしての機能を果たすゲートウェイ等である。入力部１３はキーボードまたはマウス等であり、受け付けた操作情報をＣＰＵ１１へ出力する。表示部１４は液晶ディスプレイまたは有機ＥＬディスプレイ等であり、ＣＰＵ１１の指示に従い各種情報を表示する。記憶部１５には、特定情報ＤＢ１５１、表示情報ＤＢ１５２及び参照情報ＤＢ１５３が記憶されている。なお、特定情報ＤＢ１５１、表示情報ＤＢ１５２、または、参照情報ＤＢ１５３は、ＤＢサーバ１内部の記憶部１５に記憶する例を挙げて説明するがこれに限るものではない。ＤＢサーバ１外部の記憶装置に別途記憶しておき、必要に応じて読み書きするようにしても良い。
【００２９】
図８は特定情報ＤＢ１５１のレコードレイアウトを示す説明図である。特定情報ＤＢ１５１は配信ＩＤフィールド、施設ＩＤフィールド、機種フィールド及び時間帯フィールド等を含む。配信ＩＤフィールドには、表示情報固有に付与される識別情報（以下、配信ＩＤという）が記憶されている。施設フィールドには配信ＩＤに対応付けて施設を特定するための情報が記憶されている。図８の例では、施設としてＸ店及びＹ店の情報が記憶されている。機種フィールドには、配信ＩＤ及び施設に対応付けて機種を特定するための情報が記憶されている。図８の例では機種Ａ及び機種Ｂの情報が記憶されている。
【００３０】
時間帯フィールドには、配信ＩＤ、施設及び機種に対応付けて表示情報を表示する時間帯が記憶されている。例えば配信ＩＤが「ＸＡ００１」の場合、施設Ｘの情報が、機種Ａである端末装置３Ａにて、2010年2月1日10時〜11時に表示される。
【００３１】
図９は表示情報ＤＢ１５２のレコードレイアウトを示す説明図である。表示情報ＤＢ１５２は、配信ＩＤフィールド、タイトルＩＤフィールド及び本文フィールド等を含む。タイトルＩＤフィールドには、配信ＩＤに対応付けて表示情報のタイトルが記憶されている。同様に本文フィールドには、配信ＩＤ及びタイトルに対応付けて表示情報の本文が記憶されている。なお、画像、動画及び音声データをも含めても良いことはもちろんである。例えば配信ＩＤが「ＸＡ００１」の場合、タイトル「Ｘ店です」、本文「当店はグローバルな・・・」とする表示情報が表示される。
【００３２】
特定情報ＤＢ１５１、表示情報ＤＢ１５２及び後述する参照情報ＤＢ１５３の記憶内容は、入力部１３から管理者が情報を変更することができる。その他、情報処理装置４から、ＤＢサーバ１へアクセスし、特定情報ＤＢ１５１、表示情報ＤＢ１５２及び参照情報ＤＢ１５３の内容を変更することができる。図９に示す本文及びタイトル等の表示情報の入力漏れ等が発生する場合もある。この場合、端末装置３には、何も表示されないか、または、エラー画面となる。本実施形態においてはこれを防止すべく、参照情報ＤＢ１５３に第１情報及び第２情報を設けた。
【００３３】
図１０は参照情報ＤＢ１５３のレコードレイアウトを示す説明図である。参照情報ＤＢ１５３は、配信ＩＤフィールド、ディフォルトフィールド、第１情報フィールド、第２情報フィールド及び配信可否フィールド等を含む。ディフォルトフィールドには、配信ＩＤに対応付けてＹＥＳまたはＮＯの情報が記憶されている。なお、本実施形態では説明を容易にするために、ＹＥＳ、ＮＯを記載しているが、代わりに「１」、または、「０」の情報を記憶しておいても良いことはもちろんである。ディフォルトフィールドがＹＥＳの場合、表示情報が欠落していた際、代わりに配信ＩＤに対応するタイトル及び本文（以下、場合により表示情報で代表する）が表示情報ＤＢ１５２から出力される。
【００３４】
第１情報は異なる時間での表示情報の出力を許可するか否かの情報である。例えば、１１時から１２時の時間帯の表示情報が、異なる時間帯に表示しても良いか否かの情報が第１情報として記憶される。表示しても良い場合、１０時から１１時の表示情報に欠落があったとしても、代わりに１１時から１２時までの表示情報が出力される。例えば図８、図９及び図１０で配信ＩＤ「ＸＡ００１」で示す表示情報は、第１情報がＹＥＳと記憶されている。第１情報フィールドには、配信ＩＤに対応付けて、表示しても良いことを示すＹＥＳと、表示を認めないＮＯとが第１情報として記憶されている。なお、本実施の形態においては説明を容易にするために、同一施設、同一機種について同日の異なる時間帯での表示情報の出力を許可するか否かの情報を第１情報として説明するがこれに限るものではない。例えば、同一施設、同一機種について日または曜日を異にするが、異なる時間帯での表示情報の出力を許可するか否かの情報を第１情報としてもよい。
【００３５】
第２情報は、異なる機種での表示情報の出力を許可するか否かの情報である。例えば、出力を許可する場合、同一施設の機種Ａの表示情報が欠落していた際に、機種Ｂの表示情報が代わりに出力される。第２情報フィールドには異なる機種での表示情報の出力を許可する情報としてＹＥＳ、または、出力を許可しないＮＯが記憶されている。本実施形態においては、同一施設、同一時間帯の異なる機種での表示情報の出力を許可するか否かの情報を第２情報として説明するがこれに限るものではない。例えば、同一施設、他の時間帯の異なる機種での表示情報の出力を許可するか否かの情報を第２情報としても良い。
【００３６】
配信可否フィールドには、配信ＩＤに対応付けて表示情報の配信を許可するか否かの情報が記憶されている。ＣＰＵ１１はＹＥＳが記憶されている場合、表示情報を出力する。反対にＣＰＵ１１はＮＯが記憶されている場合、表示情報を出力しない。以下では、参照情報ＤＢ１５３のディフォルト、第１情報、第２情報及び配信可否に対するＹＥＳまたはＮＯの情報を参照情報という。管理者は情報処理装置４または入力部１３から、表示情報の内容に基づき、参照情報ＤＢ１５３の設定を行う。なお、図８乃至１０で示した各ＤＢのレイアウトはあくまで一例であり、これに限るものではない。データ間の関係が維持されていれば、どのようなデータの持ち方であっても良い。
【００３７】
続いて、表示情報が欠落している場合の処理を、具体例を挙げて説明する。図１１は第１情報を利用する例を示す説明図である。左欄は施設「Ｘ店」、機種Ａ、時間帯「１０時〜１１時」の特定情報、表示情報及び参照情報の３情報である。なお、年月日は適宜省略する。一方右欄は施設「Ｘ店」、機種Ａ、時間帯「１３時〜１４時」の３情報である。特定情報に関しては、右欄と比較して時間帯が相違する。また、表示情報に関しては本文の内容が相違する。参照情報は左欄の第１情報がＹＥＳ、右欄の第１情報がＮＯと記憶されている。左欄の本文は、時間への依存が少ない普遍的な情報を記載しているため、管理者は異なる時間帯での表示を許可する第１情報をＹＥＳとしている。一方右欄の本文は、ランチライムに関する情報であり、時間への依存が高い。そのため、管理者は異なる時間帯での表示を排除すべく第１情報をＮＯとしている。
【００３８】
ここで、同じ施設「Ｘ店」、同じ機種Ａ、時間帯「１６時〜１７時」とする特定情報に対応する表示情報の取得要求が、端末装置３Ａから送信される。そして、表示情報ＤＢ１５２に時間帯「１６時〜１７時」の表示情報が欠落していたとする。ＣＰＵ１１は、特定情報ＤＢ１５１から施設及び機種を共通にし、かつ、同日の配信ＩＤを抽出する。ＣＰＵ１１は参照情報ＤＢ１５３を参照し、抽出した配信ＩＤの中で、第１情報がＹＥＳの配信ＩＤを抽出する。
【００３９】
図１２は第１情報を利用した結果を示す説明図である。ここで、第１情報がＹＥＳの左欄時間帯「１０時〜１１時」が抽出される。ＣＰＵ１１は「１０時〜１１時」の３情報をＲＡＭ１２に記憶する。そして、取得要求のあった時間帯へ書き換える処理を行う。図１２の例では、右欄の情報の内、時間帯が「１６時〜１７時」へと書き換えられる。なお、ＣＰＵ１１はディフォルトもＮＯと書き換える。このようにして、同じ施設「Ｘ店」、同じ機種Ａ、時間帯「１６時〜１７時」とする特定情報に対応する表示情報の取得要求に対して、異なる時間帯の表示情報が端末装置３Ａへ出力される。
【００４０】
続いて、第２情報を用いる例を説明する。抽出した配信ＩＤに対応する第１情報が全てＮＯの場合、第２情報を利用する。図１３は第２情報を利用する例を示す説明図である。左欄は施設「Ｘ店」、機種Ａ、時間帯「１０時〜１１時」の特定情報、表示情報及び参照情報の３情報である。一方右欄は施設「Ｘ店」、機種Ｃ、時間帯「１０時〜１５時」の３情報である。ここで、施設「Ｘ店」、機種Ａ、時間帯「１２時〜１３時」を特定情報とする表示情報の取得要求があったとする。表示情報に欠落が存在し、異なる時間帯の第１情報がＮＯである場合、ＣＰＵ１１は以下の処理を行う。ＣＰＵ１１は施設及び時間帯が共通し、機種の異なる配信ＩＤを特定情報ＤＢ１５１から抽出する。なお、時間帯は完全に一致している必要はない。本実施形態の如く、時間帯が一部でも重複していれば、共通するとみなしてもよい。
【００４１】
図１４は第２情報を利用した結果を示す説明図である。ＣＰＵ１１は対応する情報として、第２情報がＹＥＳの中央欄の機種Ｃ、時間帯「１０時〜１５時」の情報を抽出したとする。ＣＰＵ１１は中央欄の機種Ｃ、時間帯「１０時〜１５時」の３情報をＲＡＭ１２に記憶する。そして、取得要求のあった機種、及び、時間帯へ書き換える処理を行う。図１４の例では、右欄の情報の内、機種がＡへ書き換えられ、時間帯が「１２時〜１３時」へと書き換えられる。なお、ＣＰＵ１１はディフォルトもＮＯと書き換える。このようにして、施設「Ｘ店」、機種Ａ、時間帯「１２時〜１３時」を特定情報とする表示情報の取得要求に対して、機種Ｂの時間帯「１０時〜１５時」の表示情報を代わりに端末装置３Ａへ出力することができる。
【００４２】
抽出した配信ＩＤに係る第１情報及び第２情報が全てＮＯである場合、ディフォルトがＹＥＳの表示情報を読み出し、代わりに出力する。図１５はディフォルトを利用する例を示す説明図である。左欄は施設「Ｘ店」、機種Ａ、時間帯「１０時〜１１時」、ディフォルトはＹＥＳと設定されている。一方右欄は施設「Ｘ店」、機種Ｃ、時間帯「１０時〜１５時」、ディフォルトはＮＯと記憶されている。ここで、施設「Ｘ店」、機種Ａ、時間帯「１２時〜１３時」を特定情報とする表示情報の取得要求があったとする。ＣＰＵ１１は対応する表示情報が欠落していると判断した場合、施設が共通、かつ、同日の配信ＩＤを特定情報ＤＢ１５１から抽出する。ＣＰＵ１１は抽出した配信ＩＤの内、ディフォルトがＹＥＳの配信ＩＤを、参照情報ＤＢ１５３を参照して抽出する。なお複数抽出された場合、ランダムで選択するほか、時間帯が近いものを優先、または、機種が同一のものを優先すればよい。
【００４３】
図１６はディフォルトの表示情報を利用した結果を示す説明図である。ＣＰＵ１１は左欄のディフォルトがＹＥＳであることから、左欄の情報をＲＡＭ１２に記憶する。ＣＰＵ１１は特定情報の時間帯に書き換える。ＣＰＵ１１は右欄に示すように、時間帯を「１２時〜１３時」へ書き換える。なお、ＣＰＵ１１はディフォルトもＮＯと書き換える。このようにして、施設「Ｘ店」、機種Ａ、時間帯「１２時〜１３時」を特定情報とする表示情報の取得要求に対して、機種Ａの時間帯「１０時〜１１時」のディフォルトに係る表示情報を代わりに端末装置３Ａへ出力することができる。
【００４４】
以上のハードウェアにおいて、ソフトウェア処理を、フローチャートを用いて説明する。図１７及び図１８は表示情報の取得要求処理の手順を示すフローチャートである。端末装置３のＣＰＵ３１は時計部３８の出力を参照し、所定時刻に達したか否かを判断する（ステップＳ１７１）。この所定時刻は、例えば毎時５５分とすればよい。ＣＰＵ３１は所定時刻に達していないと判断した場合（ステップＳ１７１でＮＯ）、当該処理を繰り返す。ＣＰＵ３１は所定時刻に達したと判断した場合（ステップＳ１７１でＹＥＳ）、時間帯を決定する（ステップＳ１７２）。具体的には、次の１時間の時間帯に特定する。例えば、現在時刻が１１時５５分の場合、時間帯は１２時から１３時と特定される。
【００４５】
ＣＰＵ３１は、記憶部３５に記憶した施設及び機種を読み出す。ＣＰＵ３１は施設、機種及び時間帯を含む特定情報、並びに、表示情報の取得要求を、通信部３６を介して、配信サーバ２へ送信する（ステップＳ１７３）。配信サーバ２のＣＰＵ２１は、通信部２６を介して特定情報と、表示情報の取得要求とを受信する（ステップＳ１７４）。ＣＰＵ２１は、通信部２６を介して、特定情報と、表示情報の取得要求とをＤＢサーバ１へ送信する（ステップＳ１７５）。
【００４６】
以下は、端末装置３Ｃの如く、ＵＲＬが配信サーバ２に送信される場合の処理を示す。端末装置３のＣＰＵ３１は、入力部３３からＵＲＬを受け付ける。ＣＰＵ３１は受け付けたＵＲＬ及び記憶部３５に記憶したＯＳの情報を配信サーバ２へ送信する（ステップＳ１７６）。配信サーバ２のＣＰＵ２１はＵＲＬ及びＯＳの情報を受信する。ＣＰＵ２１は、ＵＲＬから施設を特定する（ステップＳ１７７）。具体的には、記憶部２５には、ＵＲＬのホスト名及びパス名と、施設との情報が予め関連づけて記憶されている。ＣＰＵ２１はＵＲＬのホスト名及びパス名から、ユーザが閲覧を希望している施設を特定する。
【００４７】
ＣＰＵ２１はＯＳの情報から機種を特定する（ステップＳ１７８）。具体的には、記憶部２５に、ＯＳの種類及びバージョン、ブラウザ３５Ｂの種類及びバージョン等の情報に対応付けて、機種の情報が記憶されている。ＣＰＵ２１は受信したＯＳの情報に基づき機種を特定する。ＣＰＵ２１は、時計部２８からの出力を参照し、現在時刻が所定時刻であるか否かを判断する（ステップＳ１７９）。ＣＰＵ２１は所定時刻でないと判断した場合（ステップＳ１７９でＮＯ）、現在の「時」に基づき、時間帯を特定する（ステップＳ１８２）。この所定時刻は、例えば毎時５５分から５９分である。本実施例では、現在時刻が５５分〜５９分の場合、現在の「時」に基づき時間帯を特定する。例えば８時５５分の場合、時間帯は８時〜９時となる。
【００４８】
ＣＰＵ２１は所定時刻であると判断した場合（ステップＳ１７９でＹＥＳ）、現在の「時」の１時間後を時間帯として特定する（ステップＳ１８１）。例えば８時５６分の場合、時間帯は９時〜１０時となる。ＣＰＵ２１は以上のようにして特定した施設、機種及び時間帯を特定情報として決定する（ステップＳ１８３）。ＣＰＵ２１は、通信部２６を介して、特定情報と、表示情報の取得要求とを、ＤＢサーバ１へ送信する（ステップＳ１８４）。
【００４９】
図１９乃至図２３は表示情報の出力処理の手順を示すフローチャートである。ＣＰＵ１１は配信サーバ２から送信された特定情報と、表示情報の取得要求とを、通信部１６を介して取得する（ステップＳ１９１）。ＣＰＵ１１は、送信サーバ２から受信した特定情報に対応する配信ＩＤを、特定情報ＤＢ１５１から読み出す（ステップＳ１９２）。具体的には送信サーバ２から受信した特定情報内の施設、機種及び時間帯と一致する特定情報の配信ＩＤを特定情報ＤＢ１５１から読み出す。ＣＰＵ１１はＳ１９２で読み出した配信ＩＤに対応する表示情報が、表示情報ＤＢ１５２に記憶されているか否かを判断する（ステップＳ１９３）。
【００５０】
ＣＰＵ１１は、その読み出した配信ＩＤに対応する表示情報が記憶されていると判断した場合（ステップＳ１９３でＹＥＳ）、その読み出した配信ＩＤに対応する表示情報を表示情報ＤＢ１５２から読み出す（ステップＳ１９４）。ＣＰＵ１１はＳ１９４で読み出した表示情報をＲＡＭ１２に記憶する（ステップＳ１９５）。ＣＰＵ１１は配信ＩＤに対応する配信可否情報を参照情報ＤＢ１５３から読み出す（ステップＳ１９６）。ＣＰＵ１１は配信可否情報がＹＥＳか否かを判断する（ステップＳ１９７）。ＣＰＵ１１は配信可否情報がＹＥＳの場合（ステップＳ１９７でＹＥＳ）、ステップＳ１９４で読み出した表示情報を配信サーバ２へ出力する（ステップＳ２０３）。配信サーバ２は表示情報を端末装置３へ送信する。なお、ＣＰＵ１１は端末装置３のＩＰアドレスを参照し、表示情報を直接端末装置３へ出力しても良い。
【００５１】
ＣＰＵ１１は配信可否情報がＹＥＳでないと判断した場合（ステップＳ１９７でＮＯ）、時計部１８から日時を取得する（ステップＳ１９８）。ＣＰＵ１１は記憶部１５に予め記憶したメールテンプレートを読み出す（ステップＳ１９９）。ＣＰＵ１１は取得した日時、ステップＳ１９１で取得した特定情報、ステップＳ１９５に記憶した表示情報、ステップＳ１９２で特定情報ＤＢ１５１から読み出した配信ＩＤに対応する配信可否情報、配信ＩＤ及びＵＲＬをメールテンプレートに記述する（ステップＳ２０１）。ＣＰＵ１１は記憶部１５に記憶した管理者の電子メールアドレスを読み出す。ＣＰＵ１１は記述後の電子メールを、読み出したアドレス宛へ送信する（ステップＳ２０２）。管理者は情報処理装置４にて電子メールを閲覧することができる。なお、ＣＰＵ１１は電子メールアドレス及び電子メールを配信サーバ２へ出力し、配信サーバ２が、電子メールアドレス宛へ、電子メールを送信しても良い。
【００５２】
ステップＳ２０２及びＳ２０３の後、ＣＰＵ１１はステップＳ１９５で記憶した表示情報をＲＡＭ１２から削除する（ステップＳ２０４）。ＣＰＵ１１は配信ＩＤに対応する表示情報が表示情報ＤＢ１５２に記憶されていないと判断した場合（ステップＳ１９３でＮＯ）、ステップＳ２０５へ移行する。ＣＰＵ１１はステップＳ１９１で取得した施設及び機種が同一であり、時間帯が異なる配信ＩＤ（以下、第１配信ＩＤという）を特定情報ＤＢ１５１から読み出す（ステップＳ２０５）。なお、ステップＳ２０５では時間帯の異なる第１配信ＩＤが読み出されるが、本実施形態では同日内の時間帯の異なる第１配信ＩＤを読み出す例を挙げて説明する。なお、日または曜日のみ異なる配信ＩＤを抽出しても良いことはもちろんである。例えば２月１日１３時から１４時の表示情報の取得要求があった場合、２月１日１５時から１６時の表示情報であっても良い。また１週間後の２月８日１３時から１４時の表示情報であっても良い。
【００５３】
ＣＰＵ１１は第１配信ＩＤの内、第１情報がＹＥＳの第１配信ＩＤが、参照情報ＤＢ１５３に記憶されているか否かを判断する（ステップＳ２０６）。ＣＰＵ１１は第１情報がＹＥＳの配信ＩＤが記憶されていると判断した場合（ステップＳ２０６でＹＥＳ）、第１配信ＩＤを抽出し、ステップＳ２０７へ移行する。なお、第１配信ＩＤが複数抽出された場合の処理は後述する。本例ではランダムに一の第１配信ＩＤを選択するものとする。ＣＰＵ１１は抽出した第１配信ＩＤに対応する表示情報を表示情報ＤＢ１５２から読み出す（ステップＳ２０７）。ＣＰＵ１１はステップＳ１９２で読み出した配信ＩＤに対応付けて、表示情報ＤＢ１５２内に、第１配信ＩＤに対応する表示情報を複写する（ステップＳ２０８）。
【００５４】
ＣＰＵ１１は第１配信ＩＤに対応する参照情報のレコードを読み出す（ステップＳ２０９）。参照情報のレコードは、配信ＩＤに対応するディフォルト、第１情報、第２情報及び配信可否の各データ項目においてＹＥＳまたはＮＯを示す値が設定された情報である。ＣＰＵ１１はステップＳ１９２で読み出した配信ＩＤに対応付けて、参照情報ＤＢ１５３内に、表示情報のレコードを複写する（ステップＳ２１０）。ＣＰＵ１１はＳ１９２で特定情報ＤＢ１５１から読み出した配信ＩＤに対応するディフォルトをＮＯに書き換える（ステップＳ２１１）。これにより、取得要求のあった配信ＩＤ（Ｓ１９２で特定情報ＤＢ１５１から読み出した配信ＩＤ）に対応する表示情報及び参照情報が生成される。なお、本実施形態においては、第１配信ＩＤに対応する表示情報を取得要求のあった配信ＩＤに対応付けて複写し、第１配信ＩＤに対応する参照情報を取得要求のあった配信ＩＤに対応付けて記憶する例を挙げたがこれに限るものではない。例えば、第１配信ＩＤに対応する特定情報、表示情報及び参照情報の全てを、ＲＡＭ１２に一時的に記憶し、Ｓ１９２で特定情報ＤＢ１５１から読み出した配信ＩＤ及び時間帯以外の情報を、Ｓ１９２で特定情報ＤＢ１５１から読み出した配信ＩＤに対応付けて複写しても良い。
【００５５】
ＣＰＵ１１はステップＳ２０８で複写した表示情報を、配信サーバ２を介して端末装置３へ出力する（ステップＳ２１２）。ＣＰＵ１１は表示情報に欠落があったことから、欠落を示す情報を管理者に通知する。本実施形態では電子メールで通知する形態を一例として説明する。ＣＰＵ１１はステップＳ１９１で取得要求を取得した日時、及び、ステップＳ２１２で表示情報を出力した日時を、時計部１８から取得する（ステップＳ２１３）。ＣＰＵ１１は記憶部１５から電子メールの雛形となるメールテンプレートを読み出す（ステップＳ２１４）。
【００５６】
ＣＰＵ１１はステップＳ１９１で取得した特定情報を読み出す。ＣＰＵ１１はステップＳ２０７の第１配信ＩＤに対応する特定情報を特定情報ＤＢ１５１から読み出す。ＣＰＵ１１はステップＳ２０８によって複写が完了した配信ＩＤに対応する特定情報及び表示情報を、特定情報ＤＢ１５１及び表示情報ＤＢ１５２から読み出す。ＣＰＵ１１は配信ＩＤを含むＵＲＬを生成する。ＣＰＵ１１は以上の日時、特定情報、第１配信ＩＤに対応する特定情報、複写後の配信ＩＤに対応する特定情報及び表示情報、配信ＩＤ、並びに、ＵＲＬをメールテンプレート内に記述する（ステップＳ２１５）。ＣＰＵ１１は記述後の電子メールを記憶部１５から読み出した電子メールアドレス宛へ送信する（ステップＳ２１６）。
【００５７】
図２４は送信される電子メールのイメージを示す説明図である。タイトルには、表示情報が欠落しており、他の表示情報で複写処理が行われたことを示す情報が表示される。本文には、上述した日時、特定情報、第１配信ＩＤに対応する特定情報、複写後の配信ＩＤに対応する特定情報及び表示情報、並びに、ＵＲＬが記載される。日時には、表示情報の取得要求日時及び表示情報の出力日時が記載される。特定情報は、取得要求のあった特定情報である。第１配信ＩＤに対応する特定情報は、複写元の特定情報である。図２４の例では１０時台の表示情報が必要であったところ、欠落していたため、代わりに第１情報がＹＥＳの１３時台の表示情報を複写したものである。複写後の配信ＩＤに対応する特定情報及び表示情報には、配信ＩＤ、特定情報及び複写後の表示情報が記載される。ＵＲＬには、配信ＩＤを含んだ文字列が記載されている。すなわち、ＵＲＬに当該画面情報の生成に用いるパラメータを示すクエリを付加した文字列データを含んでいる。図２４の例では、取得要求のあった配信ＩＤ「ＸＡ００２」が「id=XA002」として記載されている。なお、図２４に記載した電子メールの例は一例であり、これに限るものではない。少なくとも配信ＩＤ、または、取得要求のあった特定情報だけを記載するようにしても良いことはもちろんである。
【００５８】
ＣＰＵ１１は第１情報がＹＥＳの第１配信ＩＤが記憶されていないと判断した場合（ステップＳ２０６でＮＯ）、ステップＳ２１７へ移行する。ＣＰＵ１１はステップＳ１９１で取得した施設及び時間帯が同一であり、機種が異なる特定情報の配信ＩＤ（以下、第２配信ＩＤという）を特定情報ＤＢ１５１から読み出す（ステップＳ２１７）。なお、ステップＳ２１７では時間帯を同じくする第２配信ＩＤが読み出されるが、本実施形態では同日内の同一時間帯の第２配信ＩＤを読み出す例を挙げて説明する。なお、日または曜日が異なるが同一の時間帯の第２配信ＩＤを読み出しても良い。その他、同日内の他の時間帯の第２配信ＩＤを読み出しても良い。さらには、日または曜日が異なり、かつ、時間帯も異なる第２配信ＩＤを読み出しても良い。
【００５９】
ＣＰＵ１１は第２配信ＩＤの内、第２情報がＹＥＳの第２配信ＩＤが、参照情報ＤＢ１５３に記憶されているか否かを判断する（ステップＳ２１８）。ＣＰＵ１１は第２情報がＹＥＳの第２配信ＩＤが記憶されていると判断した場合（ステップＳ２１８でＹＥＳ）、第２配信ＩＤを抽出し、ステップＳ２１９へ移行する。なお、第２配信ＩＤが複数抽出された場合の処理は後述する。本例ではランダムに一の第２配信ＩＤを選択するものとする。ＣＰＵ１１は抽出した第２配信ＩＤに対応する表示情報を表示情報ＤＢ１５２から読み出す（ステップＳ２１９）。ＣＰＵ１１はステップＳ１９２で読み出した配信ＩＤに対応付けて、表示情報ＤＢ１５２内に、第２配信ＩＤに対応する表示情報を複写する（ステップＳ２２０）。
【００６０】
ＣＰＵ１１は第２配信ＩＤに対応する参照情報のレコードを読み出す（ステップＳ２２１）。ＣＰＵ１１はステップＳ１９２で読み出した配信ＩＤに対応付けて、参照情報ＤＢ１５３内に、表示情報のレコードを複写する（ステップＳ２２２）。ＣＰＵ１１は配信ＩＤに対応するディフォルトをＮＯに書き換える（ステップＳ２２３）。これにより、取得要求のあった配信ＩＤに対応する表示情報及び参照情報が生成される。なお、本実施形態においては、第２配信ＩＤに対応する表示情報を配信ＩＤに対応付けて複写し、第２配信ＩＤに対応する参照情報を配信ＩＤに対応付けて記憶する例を挙げたがこれに限るものではない。例えば、第２配信ＩＤに対応する特定情報、表示情報及び参照情報の全てを、ＲＡＭ１２に一時的に記憶し、配信ＩＤ及び機種以外の情報を、配信ＩＤに対応付けて複写しても良い。
【００６１】
ＣＰＵ１１はステップＳ２２０で複写した表示情報を、配信サーバ２を介して端末装置３へ出力する（ステップＳ２２４）。ＣＰＵ１１は表示情報に欠落があったことから、欠落を示す情報を管理者に通知する。ＣＰＵ１１はステップＳ１９１で取得要求を取得した日時、及び、ステップＳ２２４で表示情報を出力した日時を、時計部１８から取得する（ステップＳ２２５）。ＣＰＵ１１は記憶部１５から電子メールの雛形となるメールテンプレートを読み出す（ステップＳ２２５１）。
【００６２】
ＣＰＵ１１はステップＳ１９１で取得した特定情報を読み出す。ＣＰＵ１１はステップＳ２１９の第２配信ＩＤに対応する特定情報を特定情報ＤＢ１５１から読み出す。ＣＰＵ１１はステップＳ２２０によって複写が完了した配信ＩＤに対応する特定情報及び表示情報を、特定情報ＤＢ１５１及び表示情報ＤＢ１５２から読み出す。ＣＰＵ１１は配信ＩＤを含むＵＲＬを生成する。ＣＰＵ１１は以上の日時、特定情報、第２配信ＩＤに対応する特定情報、複写後の配信ＩＤに対応する特定情報及び表示情報、配信ＩＤ、並びに、ＵＲＬをメールテンプレート内に記述する（ステップＳ２２６）。ＣＰＵ１１は記述後の電子メールを記憶部１５から読み出した電子メールアドレス宛へ送信する（ステップＳ２２７）。
【００６３】
図２５は送信される電子メールのイメージを示す説明図である。タイトルには、表示情報が欠落しており、他の表示情報で複写処理が行われたことを示す情報が表示される。本文には、上述した日時、特定情報、第２配信ＩＤに対応する特定情報、複写後の配信ＩＤに対応する特定情報及び表示情報、並びに、ＵＲＬが記載される。日時には、表示情報の取得要求日時及び表示情報の出力日時が記載される。特定情報は、取得要求のあった特定情報である。第２配信ＩＤに対応する特定情報は、複写元の特定情報である。図２５の例では機種Ａの１０時台の表示情報が必要であったところ、欠落していたため、代わりに第２情報がＹＥＳの機種Ｂの１０時台の表示情報を複写したものである。複写後の配信ＩＤに対応する特定情報及び表示情報には、配信ＩＤ、特定情報及び複写後の表示情報が記載される。ＵＲＬには、配信ＩＤを含んだ文字列が記載されている。なお、図２５に記載した電子メールの例は一例であり、これに限るものではない。少なくとも配信ＩＤ、または、取得要求のあった特定情報だけを記載するようにしても良い。すなわち、ＵＲＬに当該画面情報の生成に用いるパラメータを示すクエリを付加した文字列データを含んでいる。図２５の例では、取得要求のあった配信ＩＤ「ＸＡ００２」が「id=XA002」として記載されている。
【００６４】
ＣＰＵ１１は第２配信ＩＤの内第２情報がＹＥＳの第２配信ＩＤが存在しないと判断した場合（ステップＳ２１８でＮＯ）、ステップＳ２２８へ移行する。ＣＰＵ１１は特定情報ＤＢ１５１を参照し、ステップＳ１９１で取得した施設が同一の配信ＩＤを読み出す（ステップＳ２２８）。なお、ステップＳ２２８では施設及び機種が同一の配信ＩＤを読み出しても良い。ＣＰＵ１１は読み出した配信ＩＤの内、ディフォルトがＹＥＳの配信ＩＤが、参照情報ＤＢ１５３に記憶されているか否かを判断する（ステップＳ２２９）。ＣＰＵ１１はディフォルトがＹＥＳの配信ＩＤ（以下、第３配信ＩＤという）が記憶されていると判断した場合（ステップＳ２２９でＹＥＳ）、第３配信ＩＤを抽出する（ステップＳ２３０）。なお、第３配信ＩＤが複数存在する場合は、ランダムに一つの第３配信ＩＤを抽出すれば良い。
【００６５】
ＣＰＵ１１は第３配信ＩＤに対応する表示情報を、表示情報ＤＢ１５２から読み出す（ステップＳ２３１）。ＣＰＵ１１はステップＳ１９２で読み出した配信ＩＤに対応付けて、表示情報ＤＢ１５２内に、表示情報を複写する（ステップＳ２３２）。ＣＰＵ１１は第３配信ＩＤに対応する参照情報のレコードを読み出す（ステップＳ２３３）。ＣＰＵ１１はステップＳ１９２で読み出した配信ＩＤに対応付けて、参照情報ＤＢ１５３内に、表示情報のレコードを複写する（ステップＳ２３４）。ＣＰＵ１１は配信ＩＤに対応するディフォルトをＮＯに書き換える（ステップＳ２３５）。これにより、取得要求のあった配信ＩＤに対応する表示情報及び参照情報が生成される。
【００６６】
ＣＰＵ１１はステップＳ２３２で複写した表示情報を、配信サーバ２を介して端末装置３へ出力する（ステップＳ２３６）。ＣＰＵ１１は表示情報に欠落があったことから、欠落を示す情報を管理者に通知する。ＣＰＵ１１はステップＳ１９１で取得要求を取得した日時、及び、ステップＳ２３６で表示情報を出力した日時を、時計部１８から取得する（ステップＳ２３７）。ＣＰＵ１１は記憶部１５から電子メールの雛形となるメールテンプレートを読み出す（ステップＳ２３８）。
【００６７】
ＣＰＵ１１はステップＳ１９１で取得した特定情報を読み出す。ＣＰＵ１１はステップＳ２３１の第３配信ＩＤに対応する特定情報を特定情報ＤＢ１５１から読み出す。ＣＰＵ１１はステップＳ２３１によって複写が完了した配信ＩＤに対応する特定情報及び表示情報を、特定情報ＤＢ１５１及び表示情報ＤＢ１５２から読み出す。ＣＰＵ１１は配信ＩＤを含むＵＲＬを生成する。ＣＰＵ１１は以上の日時、特定情報、第３配信ＩＤに対応する特定情報、複写後の配信ＩＤに対応する特定情報及び表示情報、配信ＩＤ、並びに、ＵＲＬをメールテンプレート内に記述する（ステップＳ２３９）。ＣＰＵ１１は記述後の電子メールを記憶部１５から読み出した電子メールアドレス宛へ送信する（ステップＳ２３１０）。
【００６８】
ＣＰＵ１１はディフォルトがＹＥＳの配信ＩＤが記憶されていないと判断した場合（ステップＳ２２９でＮＯ）、ステップＳ２４１へ移行する。ＣＰＵ１１は記憶部１５からエラーメールのテンプレートを読み出す（ステップＳ２４１）。なお、このテンプレート内には、「表示情報の取得要求がありましたが、情報を出力できませんでした。」等のテキスト文が記述される。ＣＰＵ１１はテンプレート内にステップＳ１９１で取得した特定情報または、ステップＳ１９２で読み出した配信ＩＤをテンプレート内に記述する（ステップＳ２４２）。ＣＰＵ１１は記述後の電子メールを記憶部１５から読み出した電子メールアドレス宛へ送信する（ステップＳ２４３）。
【００６９】
図２６は情報処理装置４のハードウェア群を示すブロック図である。管理者は情報処理装置４によりステップＳ２１６またはＳ２２７で送信された電子メールを受信する。管理者は送信された電子メールを参照し、配信ＩＤに係る表示情報及び参照情報を編集することができる。以下に詳細を説明する。情報処理装置４は、例えば、パーソナルコンピュータ、ＰＤＡまたは携帯電話機である。情報処理装置４は制御部としてのＣＰＵ４１、ＲＡＭ４２、入力部４３、表示部４４、記憶部４５及び通信部４６等を含む。ＣＰＵ４１は、バス４７を介してハードウェア各部と接続されている。ＣＰＵ４１はハードウェア各部を制御すると共に、記憶部４５に格納された制御プログラムに従って、種々のソフトウェア機能を実行する。
【００７０】
表示部４４は液晶ディスプレイまたは有機ＥＬディスプレイ等である。入力部４３はマウス、キーボード、またはタッチパネル等の入力装置である。メモリとしてのＲＡＭ４２は例えばＳＲＡＭ、ＤＲＡＭ、またはフラッシュメモリ等である。ＲＡＭ４２は、ＣＰＵ４１による各種プログラムの実行時に発生する種々のデータを一時的に記憶する。
【００７１】
通信部４６は無線ＬＡＮカードまたは携帯電話用通信モジュール等であり、通信網Ｎを介して配信サーバ２またはＤＢサーバ１との間で情報の送受信を行う。記憶部４５はハードディスクまたは大容量メモリであり、ブラウザ４５１を記憶している。管理者は、ステップＳ２１６またはＳ２２７で配信された電子メールに記述されたＵＲＬをクリックし、ＤＢサーバ１へアクセスする。ＣＰＵ１１はブラウザ４５１を起動し、入力部４３から受け付けたＵＲＬを参照し、ＤＢサーバ１との間の通信を確立する。なお、管理者は電子メールを受信していない場合でも、入力部４３からＩＤ及びパスワードを入力し、ＤＢサーバ１へログインすることができる。この場合、編集を希望する配信ＩＤを入力部４３から入力する。
【００７２】
ＤＢサーバ１のＣＰＵ１１は配信ＩＤを受信した場合、特定情報ＤＢ１５１、表示情報ＤＢ１５２及び参照情報ＤＢ１５３を参照し、対応する情報を読み出す。ＣＰＵ１１は読み出した情報を編集するためのＨＴＭＬ文書を作成し、情報処理装置４へ送信する。情報処理装置４のＣＰＵ４１は、通信部４６を介して、ＨＴＭＬ文書を受信する。ＣＰＵ４１は表示部４４にＨＴＭＬ文書を表示する。以下では表示部４４に表示したＨＴＭＬ文書に係る画面を編集画面という。
【００７３】
図２７は編集画面のイメージを示す説明図である。ＣＰＵ４１は表示部４４に編集画面を表示する。管理者は入力部４３から編集を希望する項目について、情報を入力する。図２７は、図１２において２０１０年１２月１日１６時から１７時の表示情報が存在しないため、代わりに、同日の１０時から１１時の表示情報を複写したものである。管理者は表示情報の本文の書き換えを希望する場合、本文ボックス４４１に本文の情報を入力する。また、表示情報の配信自体を希望する場合、配信可否ボックス４４２をＮＯへ変更する。
【００７４】
管理者は編集後、決定ボタン４４３をクリックする。ＣＰＵ４１は入力部４３を介して入力された編集後の情報を受け付け、通信部４６を介してＤＢサーバ１へ送信する。ＤＢサーバ１のＣＰＵ１１は編集後の情報を、配信ＩＤに対応付けて、特定情報ＤＢ１５１、表示情報ＤＢ１５２及び参照情報ＤＢ１５３に記憶する。ＣＰＵ１１は、表示情報の本文が編集された場合、配信サーバ２を介して、編集後の表示情報を端末装置３へ出力する。端末装置３のＣＰＵ３１は編集後の表示情報を受信した場合、編集後の表示情報を表示する。ＣＰＵ１１は、配信可否をＮＯとする編集を受け付けた場合、表示停止命令を、配信サーバ２を介して、端末装置３へ送信する。端末装置３のＣＰＵ３１は表示停止命令を受け付けた場合、表示情報の表示を停止する。
【００７５】
図２８乃至図３０は編集処理の手順を示すフローチャートである。情報処理装置４のＣＰＵ４１は通信部４６を介して、ステップＳ２１６またはＳ２２７で送信された配信ＩＤを含む電子メールを受信する（ステップＳ２８１）。ＣＰＵ４１はＤＢサーバ１へアクセスし、併せて配信ＩＤをＤＢサーバ１へ送信する（ステップＳ２８２）。具体的には、図２４または図２５に示したＵＲＬをクリックすることにより、ＤＢサーバ１へのアクセスが開始され、また配信ＩＤが送信される。ＤＢサーバ１は、配信ＩＤを受信する（ステップＳ２８３）。ＣＰＵ１１は、記憶部１５に予め記憶したログイン画面を読み出し、情報処理装置４へ送信する（ステップＳ２８４）。情報処理装置４のＣＰＵ４１は受信したログイン画面を表示部４４へ表示する。ＣＰＵ４１は入力部４３から入力されたＩＤ及びパスワードをＤＢサーバ１へ送信する（ステップＳ２８５）。
【００７６】
ＤＢサーバ１のＣＰＵ１１は、受信したＩＤ及びパスワードが、記憶部１５に予め記憶したＩＤ及びパスワードに一致するか否かを判断する（ステップＳ２８６）。ＣＰＵ１１は一致しないと判断した場合（ステップＳ２８６でＮＯ）、処理を終了する。ＣＰＵ１１は一致すると判断した場合（ステップＳ２８６でＹＥＳ）、ステップＳ２８７へ移行する。ＣＰＵ１１は、ステップＳ２８３で受信した配信ＩＤに対応する特定情報、表示情報及び参照情報を、特定情報ＤＢ１５１、表示情報ＤＢ１５２及び参照情報ＤＢ１５３から読み出す（ステップＳ２８７）。ＣＰＵ１１は読み出した特定情報、表示情報及び参照情報に基づき、編集画面を生成する（ステップＳ２８８）。
【００７７】
ＣＰＵ１１は図２７の如く生成された編集画面を情報処理装置４へ送信する（ステップＳ２８９）。ＣＰＵ４１は編集画面を、通信部４６を介して受信する（ステップＳ２９１）。ＣＰＵ４１は編集画面を表示部４４へ表示する（ステップＳ２９２）。ＣＰＵ４１は、編集後の情報を入力部４３から受け付ける（ステップＳ２９３）。ＣＰＵ４１は編集後の情報をＤＢサーバ１へ送信する（ステップＳ２９４）。ＣＰＵ１１は編集後の情報を受信する（ステップＳ２９５）。ＣＰＵ１１は編集後の情報を特定情報ＤＢ１５１、表示情報ＤＢ１５２及び参照情報ＤＢ１５３に記憶する（ステップＳ２９６）。これにより、ＤＢサーバ１内の情報は管理者の指示に従った内容へ変更される。変更後に、端末装置３Ｃからアクセスがあった場合でも、編集後の内容が表示部３４に表示される。
【００７８】
続いて、既に端末装置３へ送信した表示情報の変更処理について説明する。ＣＰＵ１１は時計部１８から現在日時を取得する。ＣＰＵ１１は受信した編集後の情報の配信時間帯を特定情報ＤＢ１５１から読み出す。ＣＰＵ１１は現在日時が、読み出した配信時間帯を既に経過しているか否かを判断する（ステップＳ２９７）。ＣＰＵ１１は既に経過していると判断した場合（ステップＳ２９７でＹＥＳ）、既に手遅れであるため処理を終了する。一方、ＣＰＵ１１は経過していないと判断した場合（ステップＳ２９７でＮＯ）、配信可否の情報がＮＯへ変更されたか否かを判断する（ステップＳ２９８）。具体的には、ＣＰＵ１１は配信可否ボックス４４２の情報がＹＥＳからＮＯへ変更されたか否かを判断する。ＣＰＵ１１は配信可否がＮＯへ変更されたと判断した場合（ステップＳ２９８でＹＥＳ）、配信停止命令及び配信ＩＤを端末装置３へ送信する（ステップＳ２９９）。
【００７９】
端末装置３のＣＰＵ３１は配信停止命令及び配信ＩＤを受信する（ステップＳ３０１）。ＣＰＵ３１は配信ＩＤを参照し、ステップＳ２１２またはＳ２２４で送信された表示情報の表示を停止する（ステップＳ３０２）。ＤＢサーバ１のＣＰＵ１１は配信可否の情報がＮＯへ変更するものでないと判断した場合（ステップＳ２９８でＮＯ）、ステップＳ３０３へ移行する。ＣＰＵ１１は表示情報の編集があったか否かを判断する（ステップＳ３０３）。ＣＰＵ１１は表示情報の編集であったと判断した場合（ステップＳ３０３でＹＥＳ）、編集後の表示情報及び配信ＩＤを端末装置３へ送信する（ステップＳ３０４）。ＣＰＵ１１は表示情報の編集がない場合（ステップＳ３０３でＮＯ）、処理を終了する。
【００８０】
端末装置３のＣＰＵ３１は編集後の表示情報及び配信ＩＤを受信する（ステップＳ３０５）。ＣＰＵ３１は表示情報を編集後の表示情報へ変更する（ステップＳ３０６）。具体的には、ＣＰＵ３１は表示情報ファイル３５１の表示情報を、配信ＩＤを参照して書き換える。以上の処理により、複写が適切でないと判断される場合でも管理者が適宜内容の変更、または、配信の停止措置をとることが可能となる。
【００８１】
実施の形態２
実施の形態２は複数の配信ＩＤが候補として存在する場合の処理に関する。ステップＳ２０６において施設及び機種が同一であり、かつ、第１情報がＹＥＳの時間帯の異なる第１配信ＩＤが複数存在する場合、以下に述べる方法により一の第１配信ＩＤを選択する。ＣＰＵ１１は、ステップＳ１９１で取得した時間帯と、複数の第１配信ＩＤに係る時間帯との差分に基づき一の第１配信ＩＤを選択すればよい。ＣＰＵ１１は例えば差分を重みとし、重みが最も小さい第１配信ＩＤを選択する。なお、配信ＩＤに係る時間帯の前後で同一の重みが存在する場合、いずれか一方を優先するようにすればよい。本実施形態では配信ＩＤに係る時間帯の後の時間帯に係る第１配信ＩＤを抽出する例を挙げて説明する。
【００８２】
図３１は実施の形態２に係るＤＢサーバ１のハードウェア群を示すブロック図である。記憶部１５には重みテーブル１５４が記憶されている。図３２は重みテーブル１５４のレコードレイアウトを示す説明図である。重みテーブル１５４には、ステップＳ１９１で取得した機種と、ステップＳ２１８で施設及び時間帯が同一、かつ、第２情報がＹＥＳの配信ＩＤに係る機種との間の重みを記憶している。例えば、端末装置３Ａと、端末装置３Ｂとの間は、重み３と記憶されている。また端末装置３Ａと、端末装置３Ｃとの間は重み２と記憶されている。ステップＳ２１８において複数の第２配信ＩＤが存在する場合、ＣＰＵ１１は重みの大きい端末装置３に係る配信ＩＤを選択する。
【００８３】
図３３は複数の第１配信ＩＤが存在する場合の処理手順を示すフローチャートである。ＣＰＵ１１はステップＳ２０６の処理により、複数の第１配信ＩＤが存在すると判断した場合、以下の処理を実行する。ＣＰＵ１１はステップＳ１９１で取得した時間帯を読み出す（ステップＳ３３１）。ＣＰＵ１１は複数の第１配信ＩＤに係る時間帯を、特定情報ＤＢ１５１から読み出す（ステップＳ３３２）。この第１配信ＩＤは、施設及び機種が同一であり、第１情報がＹＥＳのものである。ＣＰＵ１１はステップＳ３３１で読み出した時間帯と、ステップＳ３３２で読み出した各時間帯との差分を、それぞれ算出する（ステップＳ３３３）。なお本実施形態では同日の時間帯間の差分を一例として挙げたがこれに限るものではない。例えば、異なる日の時間帯の場合、ＣＰＵ１１は時間に注目して時間帯の差分を最初に求める。ＣＰＵ１１は次いで、日が何日相違するかを計数する。ＣＰＵ１１は求めた差分を計数した日で除すことにより、差分を補正しても良い。
【００８４】
ＣＰＵ１１は複数の差分の内、最も小さい第１配信ＩＤを選択する（ステップＳ３３４）。この場合、時間帯の最も近い第１配信ＩＤが選択される。なお、差分が最も大きい第１配信ＩＤを選択しても良い。ＣＰＵ１１は同一の差分が存在するか否かを判断する（ステップＳ３３５）。ＣＰＵ１１は同一の差分が存在すると判断した場合（ステップＳ３３５でＹＥＳ）、時間帯が後の第１配信ＩＤを選択する（ステップＳ３３６）。なお、時間帯が前の第１配信ＩＤを選択しても良い。ＣＰＵ１１はステップＳ３３６の処理後、または、同一の差分が存在しないと判断した場合（ステップＳ３３５でＮＯ）、ステップＳ２０７へ移行する。
【００８５】
図３４は複数の第２配信ＩＤが存在する場合の処理手順を示すフローチャートである。ＣＰＵ１１はステップＳ２１８の処理により、複数の第１配信ＩＤが存在すると判断した場合、以下の処理を実行する。ＣＰＵ１１はステップＳ１９１で取得した機種を読み出す（ステップＳ３４１）。ＣＰＵ１１は複数の第２配信ＩＤに係る機種を、特定情報ＤＢ１５１から読み出す（ステップＳ３４２）。この第２配信ＩＤは、施設及び時間帯が同一であり、第２情報がＹＥＳのものである。ＣＰＵ１１はステップＳ３４１で読み出した機種、及び、ステップＳ３４２で読み出した機種に基づき、重みテーブル１５４から重みを読み出す（ステップＳ３４３）。
【００８６】
ＣＰＵ１１は複数の重みの内、重みが最も大きい第２配信ＩＤを選択する（ステップＳ３４４）。なお、重みの最も小さい第２配信ＩＤを選択しても良い。またＣＰＵ１１は、重みが同一の第２配信ＩＤが複数存在する場合、ランダムで一の第２配信ＩＤを選択すればよい。ＣＰＵ１１はステップＳ３４４の処理後、ステップＳ２１９へ移行する。これにより、複数の候補が存在した場合でも、予め設定した条件に従い、一の候補が選択され、一の表示情報が出力されることになる。
【００８７】
本実施の形態２は以上の如きであり、その他は実施の形態１と同様であるので、対応する部分には同一の参照番号を付してその詳細な説明を省略する。
【００８８】
実施の形態３
実施の形態３は第１配信ＩＤに基づく処理と、第２配信ＩＤに基づく処理との順序が実施の形態１と反対の形態に関する。図３５は実施の形態３に係る表示情報の出力処理の手順を示すフローチャートである。ＣＰＵ１１はステップＳ１９３でＮＯの処理後、第２配信ＩＤに基づく処理を先に実行する。ＣＰＵ１１はステップＳ１９１で取得した施設及び時間帯が同一であり、機種が異なる第２配信ＩＤを読み出す（ステップＳ３５１）。
【００８９】
ＣＰＵ１１は第２配信ＩＤの内、第２情報がＹＥＳの第２配信ＩＤが、参照情報ＤＢ１５３に記憶されているか否かを判断する（ステップＳ３５２）。なお、ここで記憶されている第２配信ＩＤが複数の場合、実施の形態２で述べた処理を行えばよい。ＣＰＵ１１は第２情報がＹＥＳの第２配信ＩＤが記憶されていると判断した場合（ステップＳ３５２でＹＥＳ）、第２配信ＩＤを抽出し、ステップＳ３５３へ移行する。ＣＰＵ１１は抽出した第２配信ＩＤに対応する表示情報を表示情報ＤＢ１５２から読み出す（ステップＳ３５３）。なお、以降の処理はステップＳ２２０〜Ｓ２２７と同様であるので詳細な説明は省略する。
【００９０】
ＣＰＵ１１は第２配信ＩＤの内第２情報がＹＥＳの第２配信ＩＤが存在しないと判断した場合（ステップＳ３５２でＮＯ）、ステップＳ３５４へ移行する。ＣＰＵ１１はステップＳ１９１で取得した施設及び機種が同一であり、時間帯が異なる第１配信ＩＤを読み出す（ステップＳ３５４）。ＣＰＵ１１は第１配信ＩＤの内、第１情報がＹＥＳの第１配信ＩＤが、参照情報ＤＢ１５３に記憶されているか否かを判断する（ステップＳ３５５）。ＣＰＵ１１は第１情報がＹＥＳの第１配信ＩＤが記憶されていると判断した場合（ステップＳ３５５でＹＥＳ）、第１配信ＩＤを抽出し、ステップＳ３５６へ移行する。なお、複数の第１配信ＩＤが存在する場合、実施の形態２で述べた処理を行えばよい。
【００９１】
ＣＰＵ１１は抽出した第１配信ＩＤに対応する表示情報を表示情報ＤＢ１５２から読み出す（ステップＳ３５６）。以降の処理はステップＳ２０８〜Ｓ２１６と同様であるので詳細な説明は省略する。ＣＰＵ１１は第１情報がＹＥＳの第１配信ＩＤが記憶されていないと判断した場合（ステップＳ３５５でＮＯ）、ディフォルト表示を行うべく、ステップＳ２２８へ移行する。以降の処理は実施の形態１で述べたとおりであるので詳細な説明は省略する。これにより、時間が異なる表示情報よりも、機種が異なる表示情報を優先させることが可能となる。
【００９２】
本実施の形態３は以上の如きであり、その他は実施の形態１及び２と同様であるので、対応する部分には同一の参照番号を付してその詳細な説明を省略する。
【００９３】
実施の形態４
実施の形態４は時間帯と、機種間の関連性との双方を考慮して好ましい表示情報を出力する形態に関する。図３６は実施の形態４に係る出力システムの概要を示す模式図である。端末装置３Ｄは例えば、携帯電話機、ＰＤＡ、またはスマートフォン等である。図３７は実施の形態４に係るＤＢサーバ１のハードウェア群を示すブロック図である。記憶部１５には、第１優先度テーブル１５５及び第２優先度テーブル１５６が記憶されている。
【００９４】
図３８は第１優先度テーブル１５５のレコードレイアウトを示す説明図である。第１優先度テーブル１５５は差分フィールド及び第１優先度フィールドを含む。差分フィールドには、取得要求のあった時間帯から第１配信ＩＤに係る時間帯を減じた値が記憶されている。例えば取得要求のあった時間帯が１０時から１１時、第１配信ＩＤに係る時間帯が１３時から１４時の場合、差分は−３となる。また例えば取得要求のあった時間帯が１０時から１１時、第１配信ＩＤに係る時間帯が８時から９時の場合、差分は２となる。第１優先度フィールドには、差分に対応付けて第１優先度が記憶されている。管理者は入力部１３から、差分及び第１優先度を適宜の値に設定することができる。ＣＰＵ１１は入力部１３から入力された値を第１優先度テーブル１５５に記憶する。なお、ＣＰＵ１１は、情報処理装置４から通信部１６を介して、値を受け付けた場合も、第１優先度テーブル１５５に記憶しても良い。
【００９５】
例えば差分が１時間の場合、第１優先度は高く５と記憶されている。一方、差分が４時間の場合、第１優先度は低く２．４と記憶されている。また、差分が−１時間の場合、第１優先度は４と記憶されている。ＣＰＵ１１は特定情報から取得した時間帯から、第１情報がＹＥＳの第１配信ＩＤに係る時間帯を減じて差分を算出する。なお、ＣＰＵ１１は第１情報がＹＥＳの第１配信ＩＤに係る時間帯から、特定情報から取得した時間帯を減じて差分を算出しても良い。ＣＰＵ１１は第１優先度テーブル１５５を参照し、差分に対応する第１優先度を読み出す。なお、第１優先度テーブル１５５の数値例はあくまで一例であり、これに限るものではない。また、本実施形態では説明を容易にするために、第１優先度テーブル１５５を用いる例を挙げて説明したが、これに限るものではない。例えば差分を代入することにより、第１優先度が算出される数式を記憶部１５に予め記憶しておいても良い。ＣＰＵ１１は差分を読み出した数式へ代入することで、第１優先度を算出しても良い。
【００９６】
図３９は第２優先度テーブル１５６のレコードレイアウトを示す説明図である。第２優先度テーブル１５６は端末装置３Ａ〜３Ｄの機種間の関連性を第２優先度として記憶したものである。例えば端末装置３Ａと端末装置３Ｂとの間は互換性が高いことから大きな第２優先度３が記憶されている。
【００９７】
また同一機種間は最も大きな第２優先度４が記憶されている。端末装置３Ｄは、端末装置３Ａと比較して、画面サイズが小さいことから、互換性は低い。そのため、端末装置３Ａと端末装置３Ｄとの間は、小さな第２優先度−２が記憶されている。なお、記載した数値はあくまで一例であり、これに限るものではない。機種間の互換性に応じて適宜の値を設定すればよい。
【００９８】
ＣＰＵ１１は第１情報がＹＥＳの第１配信ＩＤに係る第１優先度と、第２情報がＹＥＳの第２配信ＩＤに係る第２優先度とを比較し、いずれか大きい方の配信ＩＤを選択する。ＣＰＵ１１は選択した配信ＩＤに対応する表示情報を表示情報ＤＢ１５２から出力する。なお、ＣＰＵ１１は第１優先度、または、第２優先度のいずれか一方しか存在しない場合は、存在する優先度に係る配信ＩＤを選択する。またＣＰＵ１１は第２優先度しか存在せず、かつ、第２優先度の値が−の場合、当該第２優先度に係る配信ＩＤを選択しなくとも良い。
【００９９】
図４０乃至図４２は表示情報の出力処理の手順を示すフローチャートである。ＣＰＵ１１は配信サーバ２から送信された特定情報と、表示情報の取得要求とを、通信部１６を介して取得する（ステップＳ４０１）。ＣＰＵ１１は特定情報ＤＢ１５１から特定情報に対応する配信ＩＤを読み出す（ステップＳ４０２）。ＣＰＵ１１は配信ＩＤに対応する表示情報が、表示情報ＤＢ１５２に記憶されているか否かを判断する（ステップＳ４０３）。
【０１００】
ＣＰＵ１１は配信ＩＤに対応する表示情報が記憶されていると判断した場合（ステップＳ４０３でＹＥＳ）、ステップＳ１９４へ移行する。なお、ステップＳ１９４以降の処理は他の実施形態で述べたとおりであるので詳細な説明は省略する。ＣＰＵ１１は配信ＩＤに対応する表示情報が表示情報ＤＢ１５２に記憶されていないと判断した場合（ステップＳ４０３でＮＯ）、ステップＳ４０４へ移行する。ＣＰＵ１１はステップＳ４０１で取得した施設及び機種が同一であり、時間帯が異なる第１配信ＩＤを読み出す（ステップＳ４０４）。
【０１０１】
ＣＰＵ１１は第１配信ＩＤの内、第１情報がＹＥＳの第１配信ＩＤが、参照情報ＤＢ１５３に記憶されているか否かを判断する（ステップＳ４０５）。ＣＰＵ１１は第１情報がＹＥＳの第１配信ＩＤが記憶されていると判断した場合（ステップＳ４０５でＹＥＳ）、第１情報がＹＥＳの第１配信ＩＤを抽出する（ステップＳ４０６）。ＣＰＵ１１は抽出した各第１配信ＩＤの時間帯を特定情報ＤＢ１５１から読み出す（ステップＳ４０７）。ＣＰＵ１１はステップＳ４０１で取得した時間帯と、ステップＳ４０７で読み出した時間帯とに基づき、第１配信ＩＤ毎に差分を算出する（ステップＳ４０８）。ＣＰＵ１１は各配信ＩＤの差分及び第１優先度テーブル１５５を参照し、第１配信ＩＤ毎に第１優先度を決定する（ステップＳ４０９）。
【０１０２】
ＣＰＵ１１は、ステップＳ４０９の処理後、または、第１情報がＹＥＳの第１配信ＩＤが記憶されていないと判断した場合（ステップＳ４０５でＮＯ）、ステップＳ４１１へ移行する。ＣＰＵ１１はステップＳ４０１で取得した施設及び時間帯が同一であり、機種が異なる第２配信ＩＤを読み出す（ステップＳ４１１）。ＣＰＵ１１は第２配信ＩＤの内第２情報がＹＥＳの第２配信ＩＤが、参照情報ＤＢ１５３に記憶されているか否かを判断する（ステップＳ４１２）。ＣＰＵ１１は第２情報がＹＥＳの第２配信ＩＤが記憶されていると判断した場合（ステップＳ４１２でＹＥＳ）、第２配信ＩＤを抽出する（ステップＳ４１３）。ＣＰＵ１１は第２配信ＩＤが記憶されていないと判断した場合（ステップＳ４１２でＮＯ）、ステップＳ４１６へ移行する。
【０１０３】
ＣＰＵ１１は抽出した各第２配信ＩＤの機種を特定情報ＤＢ１５１から読み出す（ステップＳ４１４）。ＣＰＵ１１はステップＳ４０１で取得した機種及びステップＳ４１４で読み出した機種に基づき、第２優先度テーブル１５６を参照し、第２配信ＩＤ毎に第２優先度を決定する（ステップＳ４１５）。ＣＰＵ１１はステップＳ４０６及びステップＳ４１３において第１配信ＩＤ及び第２配信ＩＤの双方が抽出されたか否かを判断する（ステップＳ４１６）。ＣＰＵ１１は双方が抽出されていないと判断した場合（ステップＳ４１６でＮＯ）、ステップＳ４１７へ移行する。
【０１０４】
ＣＰＵ１１は第１配信ＩＤのみ抽出されたか否かを判断する（ステップＳ４１７）。ＣＰＵ１１は第１配信ＩＤのみ抽出されたと判断した場合（ステップＳ４１７でＹＥＳ）、ステップＳ４１８へ移行する。ＣＰＵ１１はステップＳ４０９で決定した第１配信ＩＤの第１優先度を読み出す（ステップＳ４１８）。ＣＰＵ１１は最も高い第１優先度をもつ第１配信ＩＤを決定する（ステップＳ４１９）。ＣＰＵ１１はステップＳ２０７へ移行する。なお、ステップＳ２０７以降の処理は他の実施形態で述べたとおりであるので詳細な説明は省略する。
【０１０５】
ＣＰＵ１１は第１配信ＩＤのみ抽出したと判断しない場合（ステップＳ４１７でＮＯ）、第２配信ＩＤのみ抽出したか否かを判断する（ステップＳ４２１）。ＣＰＵ１１は第２配信ＩＤのみ抽出したと判断した場合（ステップＳ４２１でＹＥＳ）、ステップＳ４２２へ移行する。ＣＰＵ１１はステップＳ４１５で決定した第２配信ＩＤの第２優先度を読み出す（ステップＳ４２２）。ＣＰＵ１１は最も高い第１優先度をもつ第２配信ＩＤを決定する（ステップＳ４２３）。ＣＰＵ１１はステップＳ２１９へ移行する。なお、ステップＳ２１９以降の処理は他の実施形態で述べたとおりであるので詳細な説明は省略する。ＣＰＵ１１は第２配信ＩＤのみ抽出したと判断しない場合（ステップＳ４２１でＮＯ）、ステップＳ２２８へ移行する。なお、ステップＳ２２８以降の処理は他の実施形態で述べたとおりであるので詳細な説明は省略する。
【０１０６】
ＣＰＵ１１は第１配信ＩＤ及び第２配信ＩＤの双方が抽出されたと判断した場合（ステップＳ４１６でＹＥＳ）、ステップＳ４２４へ移行する。ＣＰＵ１１はステップＳ４０９で決定した第１配信ＩＤの第１優先度、及び、ステップＳ４１５で決定した第２配信ＩＤの第２優先度を読み出す（ステップＳ４２４）。ＣＰＵ１１は読み出した第１配信ＩＤの第１優先度と第２配信ＩＤの第２優先度との中から、最も高い優先度をもつ配信ＩＤを決定する（ステップＳ４２５）。ＣＰＵ１１は決定した配信ＩＤは第１配信ＩＤであるか否かを判断する（ステップＳ４２６）。
【０１０７】
ＣＰＵ１１は第１配信ＩＤであると判断した場合（ステップＳ４２６でＹＥＳ）、ステップＳ２０７へ移行する。一方、ＣＰＵ１１は第１配信ＩＤでないと判断した場合（ステップＳ４２６でＮＯ）、ステップＳ２１９へ移行する。これにより、時間帯のみ異なる配信ＩＤに係る表示情報と、機種が異なる配信ＩＤに係る表示情報とが存在する場合、管理者の設定に応じた優先度に従い、好ましい表示情報が出力される。
【０１０８】
本実施の形態４は以上の如きであり、その他は実施の形態１乃至３と同様であるので、対応する部分には同一の参照番号を付してその詳細な説明を省略する。
【０１０９】
実施の形態５
図４３は実施の形態５に係るＤＢサーバ１のハードウェア群を示すブロック図である。実施の形態１乃至４に係るＤＢサーバ１を動作させるためのプログラムは、本実施の形態５のように、読み取り部（図示せず）にＵＳＢメモリ、ＣＤ−ＲＯＭ等の可搬型記録媒体１Ａを読み取らせて記憶部１５に記憶しても良い。また、当該プログラムは、インターネット等の通信網Ｎを介して接続される他のサーバコンピュータ（図示せず）からダウンロードすることも可能である。以下に、その内容を説明する。
【０１１０】
図４３に示すＤＢサーバ１は、上述した各種ソフトウェア処理を実行するプログラムを、可搬型記録媒体１Ａによりまたは通信網Ｎを介して他のサーバコンピュータ（図示せず）からダウンロードする。当該プログラムは、制御プログラム１５Ｐとしてインストールされ、ＲＡＭ１２にロードして実行される。これにより、上述したＤＢサーバ１として機能する。
【０１１１】
本実施の形態５は以上の如きであり、その他は実施の形態１乃至４と同様であるので、対応する部分には同一の参照番号を付してその詳細な説明を省略する。
【０１１２】
以上の実施の形態１乃至５を含む実施形態に関し、さらに以下の付記を開示する。
【０１１３】
（付記１）
端末装置に表示する表示情報を出力する中央装置において、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されているか否かを判断する判断部と、
該判断部により記憶されていないと判断した場合に、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する出力部と
を備える中央装置。
【０１１４】
（付記２）
請求項１に記載の中央装置は、
前記判断部により記憶されていないと判断した場合に、異なる時間での表示情報の出力を許可するか否かを示す第１情報を特定情報に対応付けて記憶する第１記憶部を参照し、前記取得部により取得した施設及び機種が共通であり、かつ、出力を許可する第１情報が記憶された表示情報が前記記憶部に記憶されているか否かを判断する、第１判断部と、
前記判断部により前記表示情報が記憶されていないと判断した場合、異なる機種での表示情報の出力を許可するか否かを示す第２情報を特定情報に対応付けて記憶する第２記憶部を参照し、前記取得部により取得した施設及び時間が共通であり、かつ、出力を許可する第２情報が記憶された表示情報が前記記憶部に記憶されているか否かを判断する第２判断部と、
の少なくとも何れか一方を備え、
前記出力部は、該判断部により記憶されていないと判断した場合に替えて、前記第１判断部を備える場合において前記記憶されていると該第１判断部により判断した場合と、前記第２判断部を備える場合において前記記憶されていると該第２判断部により判断した場合と、の少なくとも何れか一方の場合に、前記表示情報を出力する
中央装置。
【０１１５】
（付記３）
前記出力部は、
前記第１判断部を備える場合において前記記憶部に複数の表示情報が記憶されていると当該第１判断部により判断した場合、前記取得部により取得した特定情報により示される時間と複数の表示情報に係る時間との差分に基づき選択される一の表示情報を出力し、
前記第２判断部を備える場合において前記記憶部に複数の表示情報が記憶されていると当該第２判断部により判断した場合、前記取得部により取得した特定情報により示される機種と複数の表示情報に係る機種との間の重みに基づき選択される一の表示情報を出力する
付記２に記載の中央装置。
【０１１６】
（付記４）
前記判断部により表示情報が記憶されていないと判断した場合に、前記取得部により取得した特定情報を出力する特定情報出力部
を備える付記１乃至３に記載の中央装置。
【０１１７】
（付記５）
前記第１判断部を備える場合において前記判断部により表示情報が記憶されていないと判断した場合に、前記取得部により取得した特定情報、並びに、前記第１出力部により出力された表示情報及び該表示情報に対応する特定情報を出力する第１特定情報出力部と、
前記第２判断部を備える場合において前記判断部により表示情報が記憶されていないと判断した場合に、前記取得部により取得した特定情報、並びに、前記第２出力部により出力された表示情報及び該表示情報に対応する特定情報を出力する第２特定情報出力部と、
の少なくとも何れか一方を備える付記２または３に記載の中央装置。
【０１１８】
（付記６）
前記判断部により記憶されていないと判断した場合であって、前記取得した特定情報により示される前記時間とは異なる時間を示す特定情報に対応付けられた表示情報または前記取得した特定情報により示される前記機種とは異なる機種を示す特定情報に対応付けられた表示情報が前記記憶部に記憶されている場合に、前記出力部を制御するための入力操作を受け付ける画面を構成する画面情報の生成に用いるプログラムを呼び出すＵＲＬに当該画面情報の生成に用いるパラメータを示すクエリを付加した文字列データを含む電子メールを、前記表示情報を表示する端末装置の管理者に宛てて送信する通知部
を備える付記１又は２に記載の中央装置。
【０１１９】
（付記７）
端末装置に表示する表示情報を出力するコンピュータに用いるプログラムにおいて、
コンピュータを、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されているか否かを判断する判断部と、
該判断部により記憶されていないと判断した場合に、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する出力部と
して機能させるプログラム。
【０１２０】
（付記８）
端末装置に表示する表示情報を中央装置の制御部により出力する出力方法において、
表示情報に関連する施設を示す施設情報と当該表示情報を表示する端末装置の機種を示す機種情報と当該表示情報を表示する時間を示す時間情報とを含む特定情報を前記制御部により取得し、
特定情報に対応付けられた表示情報を記憶する記憶部を参照し、前記制御部により、前記取得した特定情報に対応する表示情報が前記記憶部に記憶されているか否かを判断し、
記憶されていないと判断した場合に、前記制御部により、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する
出力方法。
【０１２１】
（付記９）
中央装置から、端末装置に表示する表示情報を出力する出力システムにおいて、
前記中央装置は、
表示情報に関連する施設を示す施設情報と当該表示情報を表示する端末装置の機種を示す機種情報と当該表示情報を表示する時間を示す時間情報とを含む特定情報を取得する取得部と、
特定情報に対応付けられた表示情報を記憶する記憶部を参照し、前記取得部により取得した特定情報に対応する表示情報が前記記憶部に記憶されているか否かを判断する判断部と、
該判断部により記憶されていないと判断した場合に、前記取得した特定情報により示される前記時間とは異なる時間を示す特定情報に対応付けられた表示情報または前記取得した特定情報により示される前記機種とは異なる機種を示す特定情報に対応付けられた表示情報を前記記憶部から出力する出力部とを備え、
前記端末装置は、
前記出力部により出力された表示情報を表示する表示部
を備える出力システム。
【符号の説明】
【０１２２】
１      中央装置、ＤＢサーバ
１Ａ    可搬型記録媒体
２      配信装置、配信サーバ
３、３Ａ〜３Ｄ      端末装置
４      情報処理装置
１１    ＣＰＵ
１２    ＲＡＭ
１３    入力部
１４    表示部
１５    記憶部
１６    通信部
１８    時計部
２１    ＣＰＵ
２２    ＲＡＭ
２５    記憶部
２６    通信部
２８    時計部
３１    ＣＰＵ
３２    ＲＡＭ
３３    入力部
３４    表示部
３５    記憶部
３５Ｂ、４５１  ブラウザ
３６    通信部
３８    時計部
４１    ＣＰＵ
４２    ＲＡＭ
４３    入力部
４４    表示部
４５    記憶部
４６    通信部
１５１  特定情報ＤＢ
１５２  表示情報ＤＢ
１５３  参照情報ＤＢ
１５４  重みテーブル
１５５  第１優先度テーブル
１５６  第２優先度テーブル
３５１  表示情報ファイル
４４１  本文ボックス
４４２  配信可否ボックス
４４３  決定ボタン
Ｎ      通信網
【図１】
0005504998.tif 000002
【図２】
0005504998.tif 000003
【図３】
0005504998.tif 000004
【図４】
0005504998.tif 000005
【図５】
0005504998.tif 000006
【図６】
0005504998.tif 000007
【図７】
0005504998.tif 000008
【図８】
0005504998.tif 000009
【図９】
0005504998.tif 000010
【図１０】
0005504998.tif 000011
【図１１】
0005504998.tif 000012
【図１２】
0005504998.tif 000013
【図１３】
0005504998.tif 000014
【図１４】
0005504998.tif 000015
【図１５】
0005504998.tif 000016
【図１６】
0005504998.tif 000017
【図１７】
0005504998.tif 000018
【図１８】
0005504998.tif 000019
【図１９】
0005504998.tif 000020
【図２０】
0005504998.tif 000021
【図２１】
0005504998.tif 000022
【図２２】
0005504998.tif 000023
【図２３】
0005504998.tif 000024
【図２４】
0005504998.tif 000025
【図２５】
0005504998.tif 000026
【図２６】
0005504998.tif 000027
【図２７】
0005504998.tif 000028
【図２８】
0005504998.tif 000029
【図２９】
0005504998.tif 000030
【図３０】
0005504998.tif 000031
【図３１】
0005504998.tif 000032
【図３２】
0005504998.tif 000033
【図３３】
0005504998.tif 000034
【図３４】
0005504998.tif 000035
【図３５】
0005504998.tif 000036
【図３６】
0005504998.tif 000037
【図３７】
0005504998.tif 000038
【図３８】
0005504998.tif 000039
【図３９】
0005504998.tif 000040
【図４０】
0005504998.tif 000041
【図４１】
0005504998.tif 000042
【図４２】
0005504998.tif 000043
【図４３】
0005504998.tif 000044